(57)【要約】      （修正有）【課題】広い照射範囲を有する電球型照明装置の提供。【解決手段】複数のＬＥＤ２を配した発光ユニット２Ａと、ＬＥＤ２を囲むように設けられた透明カバー４と、透明カバー４に、ＬＥＤ２の光軸に対して該光軸と交差する方向で対面するように設けられたレンズ部７とを備える。レンズ部７は、ＬＥＤ２を光軸と交差する方向で拡大して透過するように配されている。【選択図】図１
2012151010.tif 000002
【特許請求の範囲】
【請求項１】
複数の発光ダイオード素子を配した発光ユニットと、前記発光ダイオード素子を囲むように設けられた透明カバーと、前記透明カバーに、前記発光ダイオード素子の光軸に対して該光軸と交差する方向で対面するように設けられたレンズ部と、を備え、前記レンズ部は、前記発光ダイオード素子を前記光軸と交差する方向で拡大して透過するように配されていることを特徴とする特徴とする電球型照明装置。
【請求項２】
前記透明カバーの厚みを１ｍｍ乃至５ｍｍにしたことを特徴とする請求項１記載の電球型照明装置。
【請求項３】
前記透明カバーの外側に透明な外部カバーを設けたことを特徴とする請求項１又は２記載の電球型照明装置。
【請求項４】
前記外部カバーに複数の貫通孔を設けたことを特徴とする請求項３記載の電球型照明装置。
【請求項５】
前記外部カバーの厚みを１ｍｍ乃至３ｍｍにしたことを特徴とする請求項３又は４記載の電球型照明装置。
【発明の詳細な説明】
【技術分野】
【０００１】
本発明は、発光ダイオード素子を用いた電球型照明装置に関する。
【背景技術】
【０００２】
電球型照明装置としては、白熱電球、電球型蛍光灯、電球型ハロゲンランプ等が知られており、近年では、特許文献１に開示されているような発光ダイオード素子（以下、「ＬＥＤ」という）を用いた電球型ＬＥＤランプも知られるようになっている。
【先行技術文献】
【特許文献】
【０００３】
【特許文献１】特開２００３−１２４５２８号公報
【発明の概要】
【発明が解決しようとする課題】
【０００４】
特許文献１の従来技術のような電球型ＬＥＤランプによると、白熱電球、電球型蛍光灯、電球型ハロゲンランプに比べても長寿命であり、消費電力も低いことから、ランニングコストを抑える点において有利である。
【０００５】
しかしながら、電球型ＬＥＤランプは、ＬＥＤの指向性により照射範囲が狭く、白熱電球、電球型蛍光灯、電球型ハロゲンランプ等のように広範囲に照射できないという問題があった。
【０００６】
本発明は、このような問題に対処することを課題の一例とするものである。すなわち、発光ダイオード素子を用いた電球型照明装置において広い照射範囲を実現することが本発明の目的である。
【課題を解決するための手段】
【０００７】
このような目的を達成するために、本発明による電球型照明装置は、以下の構成を少なくとも具備するものである。
【０００８】
複数の発光ダイオード素子を配した発光ユニットと、前記発光ダイオード素子を囲むように設けられた透明カバーと、前記透明カバーに、前記発光ダイオード素子の光軸に対して該光軸と交差する方向で対面するように設けられたレンズ部と、を備え、前記レンズ部は、前記発光ダイオード素子を前記光軸と交差する方向で拡大して透過するように配されていることを特徴とする。
【発明の効果】
【０００９】
このような特徴を有することで本発明は、以下の効果を奏する。すなわち、発光ダイオード素子の光軸方向の照射に加え、透明カバーに設けられたレンズ部により、発光ダイオード素子を光軸と交差する方向で拡大して透過させるものであるので、発光ダイオード素子を用いた電球型照明装置において広い照射範囲を実現できる。
【図面の簡単な説明】
【００１０】
【図１】電球型照明装置の一部切欠正面図。
【図２】図１の（２）−（２）線断面図。
【図３】図１の（３）−（３）線矢視図。
【発明を実施するための形態】
【００１１】
発光ダイオード素子の光の透過及び拡散を効果的に行うために、前述の透明カバーの厚みを１ｍｍ乃至５ｍｍにすることが好ましい。
【００１２】
電球型照明装置の照射範囲の拡大をより効果的に行うために、前述の透明カバーの外側に透明な外部カバーを設けるとよく、更に、前述の外部カバーに複数の貫通孔を設けるとよい。
【００１３】
発光ダイオード素子の光の透過及び拡散を効果的に行うために、前述外部カバーの厚みを１ｍｍ乃至３ｍｍにすることが好ましい。
【００１４】
以下、本発明の電球型照明装置の実施形態を図面に基づいて説明する。
【００１５】
図１〜図３は、電球型照明装置１の概略構成図である。電球型照明装置１は、光源として複数（図示において９個）の発光ダイオード素子（以下、「ＬＥＤ」という）２を配した発光ユニット２Ａと、発光ユニット２Ａを駆動するための電源を形成する電源ユニット２Ｂと、発光ユニット２Ａ及び電源ユニット２Ｂを収容するカバー３と、ＬＥＤ２を囲むように設けられたドーム状の透明カバー４と、透明カバー４の外側に、この透明カバー４を囲むように設けられたドーム状の外部カバー５と、を備えたものである。
【００１６】
発光ユニット２Ａは、９個のＬＥＤ２を基板２０に埋め込み固定するとともに、基板２０におけるプリント配線（図示せず）を介して直列接続して構成され、電源ユニット２Ｂと接続することでＬＥＤ２に電気を供給するようになっている。基板２０は、円形に形成され、カバー３の大径側の中心に位置するように配されている。
【００１７】
ＬＥＤ２の個数は、例示した９個に限るものではなく、照明として使用できる明るさを確保できる個数であればよい。
【００１８】
電源ユニット２Ｂは、カバーの小径側に固着された口金２１と接続されており、口金２１を外部電源ソケット（図示せず）に接続することによって、電気が供給されるようになっている。
【００１９】
発光ユニット２Ａと電源ユニット２Ｂとの間には、カバー３の内周に沿うように多数の放熱板６０を備えた放熱部６が配されており、この放熱部６により、発光ユニット２Ａ及び電源ユニット２Ｂで発熱した熱を放熱するようになっている。
【００２０】
放熱部６には、カバー３の内側に設けられた嵌合体３０と嵌合する嵌合孔６１が設けられており、この嵌合孔６１を嵌合体３０に嵌合させることによって、放熱部６をカバー３に取り付けるようになっている。また、放熱部６には、透明カバー４を取り付けるためのビス４０を螺合するねじ孔６２が設けられている。
【００２１】
カバー３は、合成樹脂材等の非導電性素材を用いて、基板２０側を大径とし、口金２１側を小径として形成された筒体であり、このようなカバー３の内部に、発光ユニット２Ａ及び電源ユニット２Ｂが収容されている。
【００２２】
透明カバー４は、ドーム状のカバー本体４Ａと、カバー本体４Ａの開口部４１の全周に、放熱部６と光軸方向で対面するように設けられた固定板４Ｂとから構成されている。カバー本体４Ａは、開口部４１径を基板２０径とほぼ同径にされており、基板２０全体をカバー本体４Ａ内に配置するようになっている。固定板４Ｂは、カバー３の大径側の開口部３１径よりもやや小径に形成され、放熱部６と対面するように多数の放熱孔４２が開孔されている。また、透明カバー４は、ビス４０を固定板４Ｂに貫通させてねじ孔６２に螺合締め付けすることによって着脱可能に取り付けられている。
【００２３】
カバー本体４Ａには、ＬＥＤ２を外部カバー５の外側から見たときに拡大されて見えるようにするレンズ部７が配されている。レンズ部７は、カバー本体４Ａの開口部４１の縁から頂点方向を幅方向とする帯状のものであり、開口部４１の縁の全周にわたるように配されている。このようなレンズ部７は、ＬＥＤ２の光軸と交差する方向でこのＬＥＤ２と対面し、対面する部位を拡大して透明カバー４及び外部カバー５の外側に透過させることができる。
【００２４】
レンズ部７は、ビス４０と対向する部位を、他の部位の厚みよりも厚くしてなる補強部４Ｃとしている。この補強部４Ｃによると、ビス４０の螺合締め付けが過剰な力で行われたときに、固定板４Ｂが破損し、その破損がレンズ部７にまで至ってしまう程度の破損である場合でも、レンズ部７のビス４０と対向する部位が補強部７で補強することによって、固定板４Ｂの破損をレンズ部７へ至らせないようにすることができる。したがって、ビス４０の螺合締め付けによって固定板Ｂがレンズ部７に至る程度に破損しても、補強部４Ｃによって、レンズ部７の破損が防止されているため、破損によるレンズ部７の機能の低下を防止できる。
【００２５】
ここで、ＬＥＤ２の光軸と交差する方向とは、ＬＥＤ２の光軸が図１において上下方向であって、この上下方向に対して図１において左右方向に交差する電球型照明装置１の側面方向である。
【００２６】
このような透明カバー４によると、レンズ部７によって透明カバー４の側面から透過されるＬＥＤ２を拡大することで、電球型照明装置１の側面から照射される光を増幅することができる。すなわち、電球型照明装置１の側面から照射され、レンズ部７で増幅されたＬＥＤ２の光を、ＬＥＤ２の光軸方向の光に加えることで、電球型照明装置１の照射角度を拡大することができる。
【００２７】
外部カバー５は、外径をカバー３の外径と同径とするドーム状に形成された透明のものである。この外部カバー５には、開口部５０の縁にカバー３の大径側の開口部３１に嵌合する嵌合爪５１が４個設けられており、この嵌合爪５１が開口部３１に嵌合することによって、外部カバー５をカバー３に対して着脱可能に取り付けるようになっている。また、外部カバー５には、放熱及び光拡散兼用の多数の貫通孔５２が開孔されている。
【００２８】
貫通孔５２は、開口部５０の径方向に沿って長い長円状に形成され、開口部５０の周方向に沿って並列状に配されている。この貫通孔５２は、発光ユニット２Ａ及び電源ユニット２Ｂからの熱を放熱する他、透明カバー４からの光が外部カバー５及び貫通孔５２を透過するときに、この光を貫通孔５２で乱反射させて拡散させることによって、照射角度の拡大をより効果的にできるようになっている。
【００２９】
本例における電球型照明装置１は、透明カバー４と外部カバー５との二重構造であり、ＬＥＤ２からの光が、透明カバー４と外部カバー５を透過する際に、夫々において光の拡散を行うようになっている。すなわち、光の拡散が透明カバー４と外部カバー５で二重に行われるため、より効果的に照射角度を拡大することができる。
【００３０】
透明カバー４の厚みは、１ｍｍ〜５ｍｍの範囲で適宜選択できる。透明カバー４の厚みが１ｍｍ〜５ｍｍであると、照明に必要な光の透過量を確保した上で、効率的に光を拡散させることができる。すなわち、透明カバー４が１ｍｍ未満の厚みである場合、照明に必要な光の透過量を確保できるが効率的な光の拡散ができず、５ｍｍを越える厚みである場合、照明に必要な光の透過量を確保できず、照明としての機能が低下するものと思われる。
【００３１】
外部カバー５の厚みは、１ｍｍ〜３ｍｍの範囲で適宜選択できる。外部カバー５の厚みが１ｍｍ〜３ｍｍであると、照明に必要な光の透過量を確保した上で、効率的に光を拡散させることができる。すなわち、外部カバー５が１ｍｍ未満の厚みである場合、照明に必要な光の透過量を確保できるが効率的な光の拡散ができず、３ｍｍを越える厚みである場合、照明に必要な光の透過量を確保できず、照明としての機能が低下するものと思われる。
【００３２】
以上説明した構成の電球型照明装置１によると、ＬＥＤ２を用いたものでありながら、照明装置として効果的な照射角度を備えることができる。
【００３３】
また、外部カバー５に開孔した貫通孔５２により、優れた放熱効果を有し、しかも、透過する光を乱反射させることができるので、照明としてより効果的な照射角度を備えることができる。
【００３４】
また、透明カバー４と外部カバー５の二重構造にしたことによって、光の拡散をより多く行うことができるので、照明としてより効果的な照射角度を備えることができる。
【００３５】
また、ＬＥＤ２を増やすことなく照射角度を拡大した構成であるので、ＬＥＤ２を増やすことによる電球型照明装置の過熱や消費電力の増加等を抑制することができる。
【００３６】
尚、本発明は、例示した実施の形態に限定するものではなく、特許請求の範囲の各項に記載された内容から逸脱しない範囲の構成による実施が可能である。例えば、例示した実施形態では、透明カバー４と外部カバー５の二重構造としているが、透明カバー４のみとした形態としてもよい。
【符号の説明】
【００３７】
１：電球型照明装置
２：発光ダイオード素子（ＬＥＤ）
２Ａ：発光ユニット
４：透明カバー
５：外部カバー
７：レンズ部
５２：貫通孔
【図１】
2012151010.tif 000003
【図２】
2012151010.tif 000004
【図３】
2012151010.tif 000005